(57)【要約】【課題】施設監視システムにおいて、監視ポイントに対して、当該監視ポイントにて警報が発生した場合に当該警報の発生が施設監視システムに及ぼす影響が考慮されていない警報レベルが付与された状態となることを防ぐコントローラを提供する。【解決手段】１つ以上の監視ポイントのうちの対象監視ポイントに関する情報の設定指示を受け付ける設定指示受付部１１と、設定指示受付部１１が受け付けた設定指示と、監視ポイントおよび当該監視ポイントに関する情報を使用する１つ以上の関連アプリケーションが対応付けられたポイント参照情報に基づき、対象監視ポイントに設定する警報レベルとして推奨される推奨警報レベルを判定する推奨レベル判定部１２，１２ａと、推奨レベル判定部１２，１２ａによる推奨警報レベルの判定結果に基づき、推奨警報レベルに関する情報を表示させるための表示制御情報を出力する表示制御部１３とを備えた。【選択図】図４
2020091620.tif 000002
【特許請求の範囲】
【請求項１】
施設監視システムに備えられ、１つ以上の監視ポイントの監視または制御を行うコントローラにおいて、
前記１つ以上の監視ポイントのうちの対象監視ポイントに関する情報の設定指示を受け付ける設定指示受付部と、
前記設定指示受付部が受け付けた設定指示と、前記監視ポイントおよび当該監視ポイントに関する情報を使用する１つ以上の関連アプリケーションが対応付けられたポイント参照情報に基づき、前記対象監視ポイントに設定する警報レベルとして推奨される推奨警報レベルを判定する推奨レベル判定部と、
前記推奨レベル判定部による推奨警報レベルの判定結果に基づき、推奨警報レベルに関する情報を表示させるための表示制御情報を出力する表示制御部
とを備えたコントローラ。
【請求項２】
前記設定指示受付部が受け付ける、前記対象監視ポイントに関する情報の設定指示とは、当該対象監視ポイントに対する警報レベルの設定指示である
ことを特徴とする請求項１記載のコントローラ。
【請求項３】
前記推奨レベル判定部は、
前記設定指示に基づく警報レベルと、前記推奨警報レベルとに差異があるか否かを判定し、
前記表示制御部は、
前記推奨レベル判定部が、前記差異があると判定した場合に、前記推奨警報レベルに関する情報を表示させるための表示制御情報を出力する
ことを特徴とする請求項２記載のコントローラ。
【請求項４】
前記設定指示受付部が受け付ける、前記対象監視ポイントに関する情報の設定指示とは、当該対象監視ポイントに関する前記ポイント参照情報の設定指示であり、
前記設定指示受付部が受け付けた前記ポイント参照情報の設定指示を前記ポイント参照情報に反映するポイント参照情報設定部を備え、
前記推奨レベル判定部は、
前記ポイント参照情報設定部が前記設定指示を反映させた後の反映後ポイント参照情報に基づき、前記推奨警報レベルを判定する
ことを特徴とする請求項１記載のコントローラ。
【請求項５】
前記推奨レベル判定部は、
現在、前記対象監視ポイントに付与されている警報レベルと、前記推奨警報レベルとに差異があるか否かを判定し、
前記表示制御部は、
前記推奨レベル判定部が、前記差異があると判定した場合に、前記推奨警報レベルに関する情報を表示させるための表示制御情報を出力する
ことを特徴とする請求項４記載のコントローラ。
【請求項６】
施設監視システムに備えられ、１つ以上の監視ポイントの監視または制御を行うコントローラよる表示制御方法において、
設定指示受付部が、前記１つ以上の監視ポイントのうちの対象監視ポイントに関する情報の設定指示を受け付けるステップと、
推奨レベル判定部が、前記設定指示受付部が受け付けた設定指示と、前記監視ポイントおよび当該監視ポイントに関する情報を使用する１つ以上の関連アプリケーションが対応付けられたポイント参照情報に基づき、前記対象監視ポイントに設定する警報レベルとして推奨される推奨警報レベルを判定するステップと、
表示制御部が、推定レベル判定部による推奨警報レベルの判定結果に基づき、推奨警報レベルに関する情報を表示させるための表示制御情報を出力するステップ
とを備えたコントローラによる表示制御方法。
【発明の詳細な説明】
【技術分野】
【０００１】
この発明は、施設内に設置された機器の監視または制御を行うコントローラ、および、当該コントローラによる表示制御方法に関するものである。
【背景技術】
【０００２】
従来、施設監視システムでは、コントローラが、施設監視装置からの指示等に基づき、施設内に設置された機器（以下「監視ポイント」という。）の監視または制御を行う。具体的には、コントローラは、監視ポイントから収集されたデータ（以下「監視ポイントデータ」という。）等、監視ポイントに関する情報を様々に用いて、監視ポイントの監視または制御を行う。そして、施設監視システムでは、監視ポイントにて警報が発生すると、当該警報が発生したことをユーザに知らせるようにしている。
例えば、特許文献１には、施設内に設置したフィールド機器で得られたデータを、コントローラ等を介して管理装置が収集することにより施設全体の運転状況を管理する施設管理システムに関する技術が開示されている。特許文献１に開示されている施設管理システムは、各フィールド機器で発生したアラートを示すアラート情報を取得する機能と、取得したアラート情報をフィールド機器ごとに画面表示する機能を有するアラート表示装置を備えている。なお、特許文献１における施設管理システムは上記「施設監視システム」に相当し、特許文献１における管理装置は上記「施設監視装置」に相当する。また、特許文献１におけるフィールド機器は上記「監視ポイント」に相当し、特許文献１における「フィールド機器で得られたデータ」は上記「監視ポイントデータ」に相当する。
一方、従来、施設監視システムでは、監視ポイント毎に、当該監視ポイントにて警報が発生した場合に当該警報が発生していることをユーザに知らせる優先度となる警報レベルを設定することができる。警報レベルの設定は、ユーザが任意に行う。
【先行技術文献】
【特許文献】
【０００３】
【特許文献１】特開２０１５−８７９８７号公報
【発明の概要】
【発明が解決しようとする課題】
【０００４】
施設監視システムでは、上述のとおり、コントローラが監視ポイントの監視または制御を行うにあたり、当該監視ポイントに関する情報が、様々に用いられる。そのため、監視ポイントの監視または制御において、警報が発生したことによる影響を考慮して、警報レベルが設定されることが望ましい。
しかしながら、従来の施設監視システムでは、監視ポイントに対して設定される警報レベルと、当該監視ポイントにて警報が発生したことによって施設監視システムに及ぼす影響との対応関係が考慮されるようにはなっていない。そのため、ユーザが、警報が発生した場合に施設監視システムに及ぼす影響を把握しないまま、監視ポイントの警報レベルを設定してしまう可能性があった。その結果、監視ポイントに対して、監視ポイントにて警報が発生した場合に当該警報の発生が施設監視システムに及ぼす影響が考慮されていない警報レベルが設定された状態となるおそれがあるという課題があった。
【０００５】
この発明は、上記のような課題を解決するためになされたもので、施設監視システムにおいて、監視ポイントに対して、当該監視ポイントにて警報が発生した場合に当該警報の発生が施設監視システムに及ぼす影響が考慮されていない警報レベルが設定された状態となることを防ぐコントローラを提供することを目的とする。
【課題を解決するための手段】
【０００６】
この発明に係るコントローラは、施設監視システムに備えられ、１つ以上の監視ポイントのうちの対象監視ポイントに関する情報の設定指示を受け付ける設定指示受付部と、設定指示受付部が受け付けた設定指示と、監視ポイントおよび当該監視ポイントに関する情報を使用する１つ以上の関連アプリケーションが対応付けられたポイント参照情報に基づき、対象監視ポイントに設定する警報レベルとして推奨される推奨警報レベルを判定する推奨レベル判定部と、推奨レベル判定部による推奨警報レベルの判定結果に基づき、推奨警報レベルに関する情報（推奨警報レベル情報）を表示させるための表示制御情報を出力する表示制御部とを備えたことを特徴とするものである。
【発明の効果】
【０００７】
この発明によれば、施設監視システムにおいて、監視ポイントに対して、当該監視ポイントにて警報が発生した場合に当該警報の発生が施設監視システムに及ぼす影響が考慮されていない警報レベルが設定された状態となることを防ぐことができる。
【図面の簡単な説明】
【０００８】
【図１】実施の形態１に係るコントローラを備えた施設監視システムの構成例を示す図である。
【図２】実施の形態１において、コントローラが監視ポイントの監視または制御に用いるポイント参照情報の内容の一例を説明するための図である。
【図３】実施の形態１において、コントローラが表示装置に表示させる警報レベル設定画面のイメージの一例を示す図である。
【図４】実施の形態１に係るコントローラの構成例を示す図である。
【図５】実施の形態１において、表示装置が、表示制御部から出力された表示制御情報に基づいて、推奨警報レベル情報を表示させた画面の一例を示す図である。
【図６】実施の形態１において、記憶部が記憶している警報レベル情報の一例を説明するための図である。
【図７】実施の形態１に係るコントローラの動作を説明するためのフローチャートである。
【図８】実施の形態２に係るコントローラの構成例を示す図である。
【図９】実施の形態２において、反映後ポイント参照情報の内容の一例を説明するための図である。
【図１０】実施の形態２に係るコントローラの動作を説明するためのフローチャートである。
【図１１】実施の形態２において、表示装置が、表示制御部から出力された表示制御情報に基づいて、推奨警報レベル情報を表示させた画面の一例を示す図である。
【発明を実施するための形態】
【０００９】
以下、この発明の実施の形態について図面を参照しながら詳細に説明する。
実施の形態１．
図１は、実施の形態１に係るコントローラ１を備えた施設監視システムの構成例を示す図である。
施設監視システムは、ビル等の施設内に設置された１つ以上の監視ポイントを監視または制御するビル監視システム等に適用することができる。
施設監視システムは、コントローラ１、施設監視装置２、および、監視ポイント３を備える。施設監視装置２とコントローラ１とは、ネットワークを介して接続される。また、コントローラ１には、ネットワークを介して、施設内に設置された監視ポイント３が接続される。
図１では、説明の簡単のため、コントローラ１は、１台のみ図示しているが、施設監視システムは、１台以上のコントローラ１を備える。
また、図１では、説明の簡単のため、監視ポイント３は、１つのみ図示しているが、施設監視システムにおいて、コントローラ１には、１つ以上の監視ポイント３が接続される。監視ポイント３は、温度センサ、電力計、照明、スイッチ、または、モータ等である。
【００１０】
コントローラ１は、監視ポイント３に関する情報に基づき、監視ポイント３の監視または制御を行う。
監視ポイント３に関する情報には、例えば、当該監視ポイントで計測された、温度、湿度、または、電力等のデータ、発停状態を示すデータ、または、設定値のデータが含まれる。コントローラ１は、これらの監視ポイントデータを、監視ポイント３から収集する。
コントローラ１が、監視ポイントに対して、どのような監視または制御を行うかは、施設監視装置２の指示に基づく。
具体的には、施設管理者または施設監視システムの開発者等のユーザは、施設監視装置２から、マウスまたはキーボード等の入力装置（図示省略）を操作して、監視ポイント３を監視または制御するための情報（以下「ポイント参照情報」という。）を入力する。ユーザによって入力されたポイント参照情報は、後述の記憶部１４に記憶され、コントローラ１は、当該ポイント参照情報に基づいて、監視ポイント３の監視または制御を行う。
【００１１】
ここで、ポイント参照情報について、一例を挙げて詳細に説明する。
図２は、実施の形態１において、コントローラ１が監視ポイント３の監視または制御に用いるポイント参照情報の内容の一例を説明するための図である。
図２に示すように、ポイント参照情報は、監視ポイント３と、当該監視ポイントに関する情報を使用する１つ以上の関連アプリケーションとが対応付けられた情報である。
コントローラ１は、ポイント参照情報に基づき、監視ポイント３に関する情報を用いて、当該監視ポイント３に対応付けられている関連アプリケーションを実行することで、監視ポイント３の監視または制御を行う。
【００１２】
例えば、図２のポイント参照情報に基づき、コントローラ１は、監視ポイントＡＡ（例えば排気バルブ）および監視ポイントＣＣ（例えば空調バルブ）の監視ポイントデータを示すグラフィックを含むサマリグラフを、後述の表示装置２１、に表示させる関連アプリケーション「グラフィック１−１」を、実行する。
また、例えば、コントローラ１は、監視ポイントＥＥ（例えば照明）の発停状態が停止であると、設定された監視ポイント３（例えば発電機）を稼働させる関連アプリケーション「停電制御ＷＷＷ」を実行する。
また、例えば、コントローラ１は、監視ポイントＤＤ（例えば電力計）の監視ポイントデータを入力信号として、設定された監視ポイント３（例えば照明）を稼働させる関連アプリケーション「電力デマンドＹＹＹ」を実行する。
【００１３】
ポイント参照情報において、各関連アプリケーションには、当該各関連アプリケーションの重要度（以下「アプリケーション重要度」という。）の情報が付与されている。アプリケーション重要度とは、関連アプリケーションの実行が、施設監視システムにおける監視ポイント３の監視または制御においてどれほどの影響を与えるかの指標であり、ユーザは、当該アプリケーション重要度を、適宜、設定することができる。以下の説明において、施設監視システムにて監視ポイント３を監視または制御することを、単に、「施設監視システムを監視または制御する」ともいう。
実施の形態１では、アプリケーション重要度は、「１」〜「１０」の１０段階で設定されているものとする。なお、これは一例に過ぎず、アプリケーション重要度は、適宜の数の段階に分けて設定されるものであってもよく、アプリケーション重要度は、関連アプリケーションの実行が施設監視システムの監視または制御において与える影響を判定できる情報になっていればよい。実施の形態１では、アプリケーション重要度の数値が小さいほど、重要度が高いものとする。言い換えれば、アプリケーション重要度は、数値が小さいほど、関連アプリケーションの実行が、施設監視システムの監視または制御において与える影響が大きいことになる。
アプリケーション重要度は、コントローラ１が、監視ポイント３に関する情報を設定する指示を受け付けた場合（詳細は後述する）、当該監視ポイント３に設定される警報レベルとして推奨される警報レベルを判定する際に使用される（詳細は後述する）。
【００１４】
例えば、サマリグラフ等のグラフィック画面を表示するアプリケーションは、監視ポイントに関する情報を、単に画面表示させるために用いるものであり、施設監視システムの監視または制御において、変更された監視ポイントに関する情報を用いた当該アプリケーションが与える影響は、小さいと推定できる。そこで、図２のポイント参照情報でいうと、関連アプリケーション「グラフィック」にはアプリケーション重要度「１０」が付与されている。
一方、例えば、発電機はカバーするエリアが決められており、照明が停止した場合に、停止した照明によっては、稼働させる必要がある発電機が多岐にわたる。照明が停止した場合に発電機を稼働させるようなアプリケーションは、稼働状況が変更される発電機が多く発生すると、実行される範囲が大きくなり、施設監視システムの監視または制御において与える影響は大きいと推定できる。したがって、図２のポイント参照情報でいうと、関連アプリケーション「停電制御」にはアプリケーション重要度「１」が付与されている。
なお、図２に示すポイント参照情報では、関連アプリケーションの種類によって、アプリケーション重要度が付与されているものとしたが、これは一例に過ぎない。例えば、ポイント参照情報において、関連アプリケーション毎に、アプリケーション重要度が設定されていてもよい。具体的には、例えば、「グラフィック１−１」、「グラフィック１−２」、および「グラフィック１−３」のそれぞれに、異なるアプリケーション重要度が設定されるようにしてもよい。
以下、実施の形態１において、記憶部１４に記憶されているポイント参照情報は、図２に示すような内容であるものとする。
【００１５】
また、コントローラ１は、監視ポイント３に関する情報の設定を行うことが可能である。なお、本明細書において、監視ポイント３に関する情報の設定とは、監視ポイント３に関する情報の追加のみならず、監視ポイント３に関する情報の変更または削除も含むものとする。
以下、実施の形態１において、コントローラ１がユーザの設定指示に基づいて設定する、監視ポイント３に関する情報は、監視ポイント３に対して設定される警報レベルの情報とする。実施の形態１において、警報レベルとは、監視ポイントにて警報が発生した場合に当該警報が発生していることをユーザに知らせるための優先度が定義された情報である。実施の形態１では、警報レベルは、Ｌｖ．１〜Ｌｖ．１０までの１０段階で定義され、警報レベルの数値が小さいほど、警報レベルが高いものとする。すなわち、警報レベル「Ｌｖ．１」が設定されている監視ポイント３は、当該監視ポイント３において警報が発生した場合、当該警報の発生している旨を、その他の警報レベルが設定されたどの監視ポイント３よりも優先してユーザに通知されることになる。なお、監視ポイント３において警報が発生していることの通知は、コントローラ１が行う。例えば、コントローラ１は、後述する表示装置２１に、監視ポイント３において警報が発生している旨のメッセージを表示させることで、上述の通知を行う。
【００１６】
ユーザが監視ポイント３に対して警報レベルの情報を設定する手順について、具体的には、まず、ユーザは、例えば、施設監視装置２から、入力装置を操作して、コントローラ１に対して警報レベル設定画面を呼び出して、表示装置２１に警報レベル設定画面を表示させる。そして、ユーザは、警報レベル設定画面から、監視ポイント３に対する警報レベルの設定指示を入力する。
図３は、実施の形態１において、コントローラ１が表示装置２１に表示させる警報レベル設定画面のイメージの一例を示す図である。
警報レベル設定画面には、少なくとも、警報レベルを設定する対象となる監視ポイント３（以下「対象監視ポイント」という。）を入力するための対象監視ポイント入力部３０１と、対象監視ポイントに設定する警報レベルを入力するための警報レベル入力部３０２が表示される。なお、図３では、一例として、警報レベル入力部３０２はプルダウン表示されるものとしている。
ユーザは、図３に示すような警報レベル設定画面から、警報レベルの設定指示として、対象監視ポイントと、当該対象監視ポイントに対して設定する警報レベルの情報を入力する。施設監視装置２は、受け付けた設定指示をコントローラ１に送信し、コントローラ１は、施設監視装置２から送信された設定指示を受け付ける。
【００１７】
ここで、コントローラ１は、設定指示を受け付けると、まず、受け付けた設定指示と、ポイント参照情報とに基づき、対象監視ポイントに設定する警報レベルとして推奨される警報レベル（以下「推奨警報レベル」という。）を判定する。そして、コントローラ１は、推奨警報レベルの判定結果に基づき、推奨警報レベルを表示させるための表示制御情報を、表示装置２１に出力する。表示装置２１は、コントローラ１から出力された表示制御情報に基づき、推奨警報レベルに関する情報（以下「推奨警報レベル情報」という。）を表示する。表示装置２１が表示する推奨警報レベルの詳細は具体例を挙げて後述する。
【００１８】
ユーザは、入力した警報レベルの設定指示に対して表示装置２１に表示された推奨警報レベル情報、を確認し、入力した設定指示のとおり、警報レベルの設定を実行させるか否かを判断する。そして、ユーザは、警報レベルの設定を実行させると判断すると、入力装置を操作して、施設監視装置２から、実行指示を入力する。施設監視装置２は、入力された実行指示をコントローラ１に送信する。
コントローラ１は、施設監視装置２から実行指示が送信されると、当該実行指示を受け付け、受け付けた設定指示に基づき、監視ポイント３に警報レベルを設定する。
なお、ユーザは、推奨警報レベル情報を確認した結果、入力した警報レベルの内容を変更した上で再度、警報レベルの設定指示を入力するようにしてもよいし、警報レベルの設定をキャンセルしてもよい。
【００１９】
施設監視装置２は、コントローラ１を介して、監視ポイント３の監視または制御を行う。また、施設監視装置２は、コントローラ１を介して、監視ポイント３に関する情報の設定を行う。すなわち、実施の形態１においては、施設監視装置２は、コントローラ１を介して、監視ポイント３に対する警報レベルの設定を行う。
【００２０】
図４は、実施の形態１に係るコントローラ１の構成例を示す図である。
コントローラ１の動作は、ソフトウェアに基づくＣＰＵ（Ｃｅｎｔｒａｌ  Ｐｒｏｃｅｓｓｉｎｇ  Ｕｎｉｔ）を用いたプログラム処理によって実行される。
コントローラ１は、表示装置２１と接続される。表示装置２１は、例えば、施設監視装置２が備える。なお、図４において、説明の簡単のため、コントローラ１と接続される、施設監視装置２および監視ポイント３の図示は省略している。
【００２１】
コントローラ１は、設定指示受付部１１、推奨レベル判定部１２、表示制御部１３、および、記憶部１４を備える。
【００２２】
設定指示受付部１１は、１つ以上の監視ポイントのうちの対象監視ポイントに関する情報の設定指示を受け付ける。
具体的には、設定指示受付部１１は、ユーザが施設監視装置２から入力した、対象監視ポイントに対する警報レベルの設定指示を受け付ける。
設定指示受付部１１は、受け付けた設定指示に関する情報を、推奨レベル判定部１２に出力する。設定指示受付部１１から出力される設定指示に関する情報には、対象監視ポイントの情報、および、警報レベルの情報が含まれる。
【００２３】
推奨レベル判定部１２は、設定指示受付部１１が受け付けた設定指示と、ポイント参照情報に基づき、対象監視ポイントに設定すべき推奨警報レベルを判定する。具体的には、推奨レベル判定部１２は、設定指示受付部１１が受け付けた設定指示と、ポイント参照情報に基づき、対象監視ポイントに関連付けられている関連アプリケーションを判定する。そして、推奨レベル判定部１２は、対象監視ポイントに関連付けられている関連アプリケーションに付与されているアプリケーション重要度に応じて、推奨警報レベルを判定する。実施の形態１では、推奨レベル判定部１２は、ポイント参照情報において関連アプリケーションに付与されているアプリケーション重要度を、推奨警報レベルと判定するものとする。
【００２４】
具体例を挙げると、例えば、設定指示受付部１１が、対象監視ポイントである監視ポイントＡＡに対して警報レベル「Ｌｖ．７」を設定する設定指示を受け付けたとする。
ポイント参照情報によると、監視ポイントＡＡが使用されている関連アプリケーションは、「グラフィック１−１」であり、「グラフィック」には、アプリケーション重要度「１０」の情報が付与されている。この場合、推奨レベル判定部１２は、推奨警報レベルを「Ｌｖ．１０」と判定する。
【００２５】
なお、警報レベルの設定指示を受け付けた対象監視ポイントが使用されている関連アプリケーションの種類が複数存在する場合、推奨レベル判定部１２は、複数の関連アプリケーションのうち、最も重要度の高い、言い換えれば、最も値が小さい、アプリケーション重要度を、推奨警報レベルと判定すればよい。具体例を挙げると、例えば、設定指示受付部１１が、監視ポイントＢＢに対して警報レベル「Ｌｖ．１」を設定する設定指示を受け付けたとする。
ポイント参照情報によると、監視ポイントＢＢが使用されている関連アプリケーションは、「グラフィック１−２」および「火災制御」である。ポイント参照情報によると、「グラフィック」にはアプリケーション重要度「１０」が付与され、「火災制御」にはアプリケーション重要度「２」が付与されている。この場合、推奨レベル判定部１２は、推奨警報レベルを「２」と判定する。
推奨レベル判定部１２は、推奨警報レベルの判定結果の情報を、表示制御部１３に出力する。
なお、実施の形態１では、一例として、推奨レベル判定部１２は、ポイント参照情報において関連アプリケーションに付与されているアプリケーション重要度を、推奨警報レベルと判定するものとするが、これは一例に過ぎない。例えば、推奨レベル判定部１２が判定する推奨警報レベルが「Ｌｖ．１」〜「Ｌｖ．５」の５段階である場合、推奨レベル判定部１２は、アプリケーション重要度が「１」または「２」であれば、推奨警報レベル「Ｌｖ．１」、アプリケーション重要度が「３」または「４」であれば、推奨警報レベル「Ｌｖ．２」というように、推奨警報レベルを判定するようにしてもよい。推奨レベル判定部１２は、対応付けられている関連アプリケーションに付与されているアプリケーション重要度が高い監視ポイント３ほど、推奨警報レベルを高く判定するようになっていればよい。
【００２６】
図４の説明に戻る。
表示制御部１３は、推奨レベル判定部１２による推奨警報レベルの判定結果に基づき、推奨警報レベル情報を表示させるための表示制御情報を、表示装置２１に出力する。
表示装置２１は、表示制御部１３から出力された表示制御情報に基づき、推奨警報レベル情報を表示する。
実施の形態１において、表示制御部１３が表示させる推奨警報レベル情報には、例えば、ユーザに対して、設定指示のとおり警報レベルを設定してもよいか否かの判断を促すメッセージ、推奨警報レベル、または、対象監視ポイントの情報が含まれる。
【００２７】
ここで、図５は、実施の形態１において、表示装置２１が、表示制御部１３から出力された表示制御情報に基づいて、推奨警報レベル情報を表示させた画面の一例を示す図である。なお、図５は、具体例として上述した、設定指示受付部１１が、監視ポイントＡＡに対して警報レベル「Ｌｖ．７」を設定する設定指示を受け付けた場合に、表示制御部１３が出力した表示制御情報に基づき、表示装置２１が、推奨警報レベル情報を表示した画面の一例としている。
表示制御部１３は、表示装置２１に対して、図５に示すような画面を、例えば、警報レベル設定画面にポップアップ表示させる。
【００２８】
図５に示すように、表示装置２１は、ユーザに対して、設定指示のとおり警報レベルを設定してもよいか否かの判断を促すメッセージ（図５の５１参照）と、推奨警報レベル（図５の５２参照）を表示する。
なお、図５では、表示制御部１３は、表示装置２１に対して、設定指示のとおり警報レベルを設定してもよいか否かの判断を促すメッセージと、推奨警報レベルの両方を表示させたものとしているが、これは一例に過ぎない。表示制御部１３は、表示装置２１に対して、設定指示のとおり警報レベルを設定してもよいか否かの判断を促すメッセージ、または、推奨警報レベルのいずれか一方のみを表示させるようにしてもよい。また、表示制御部１３は、表示装置２１に対して、対象監視ポイントの情報を表示させるようにしてもよい。
【００２９】
ユーザは、表示装置２１が推奨警報レベル情報を表示した画面を確認して、入力した設定指示を実行させるか否かを判断する。
上述の具体例で言うと、ユーザは、推奨警報レベル「Ｌｖ．１０」が表示された画面を確認して、入力した、警報レベル「Ｌｖ．７」の設定を実行してもよいか否かを判断する。
ユーザは、表示装置２１が表示した画面を確認することで、自身が設定しようとした警報レベルと、推奨警報レベルとに差異があることを把握することができる。それでも、自身が設定しようとした警報レベルのとおり、警報レベルを設定して問題ないと判断すれば、ユーザは、入力装置を操作して、施設監視装置２から、先に入力した警報レベルの設定を実行する実行指示を入力する。具体的には、ユーザは、表示装置２１が表示しているＯＫボタン５３をクリックする等して、実行指示を入力する。施設監視装置２は、実行指示をコントローラ１に送信する。
コントローラ１では、実行指示受付部（図示省略）が、実行指示を受け付け、実行指示に関する情報を、警報レベル反映部（図示省略）に出力する。警報レベル反映部は、設定指示受付部１１が先に受け付けた設定指示に基づき、警報レベルの設定を実行する。上述の具体例で言うと、警報レベル反映部は、監視ポイントＡＡに対して、警報レベル「Ｌｖ．７」を設定する。警報レベル反映部は、当該設定を、記憶部１４が記憶している警報レベル情報に反映する。
ここで、図６は、実施の形態１において、記憶部１４が記憶している警報レベル情報の一例を説明するための図である。
警報レベル情報は、図６に示すように、監視ポイント３と警報レベルとが対応付けられた情報である。
コントローラ１は、監視ポイント３にて警報が発生した場合、図６に示すような警報レベル情報を参照し、警報レベル情報に従って、監視ポイント３に警報が発生している旨をユーザに通知する。
【００３０】
一方、ユーザは、表示装置２１が表示した画面を確認した結果、自身が設定しようとした警報レベルを設定しなおす、または、警報レベルの設定をやめると判断すれば、入力装置を操作して、先に入力した警報レベルの設定をキャンセルする。具体的には、ユーザは、表示装置２１が表示しているキャンセルボタン５４をクリックする等して、キャンセル指示を入力する。施設監視装置２は、キャンセル指示をコントローラ１に送信する。コントローラ１では、実行指示受付部がキャンセル指示を受け付け、キャンセル指示を受け付けた旨を警報レベル反映部に出力する。警報レベル反映部は、実行指示受付部からキャンセル指示が出力されると、先に受け付けた警報レベルの設定指示を実行しない。すなわち、上述の具体例で言うと、監視ポイントＡＡに対する、警報レベル「Ｌｖ．７」の設定は実行されない。
そして、ユーザは、例えば、再び、警報レベルの設定画面（図３参照）を呼び出し、警報レベルの設定指示を入力する。
【００３１】
図４の説明に戻る。
記憶部１４は、ＨＤＤ（Ｈａｒｄ  Ｄｉｓｋ  Ｄｒｉｖｅ）またはメモリ等であり、ポイント参照情報（図２参照）、および、警報レベル情報（図６参照）を記憶する。
なお、実施の形態１では、記憶部１４は、コントローラ１に備えられるものとするが、これに限らず、記憶部１４は、コントローラ１の外部の、コントローラ１および施設監視装置２が参照可能な場所に備えられるものとしてもよい。
【００３２】
実施の形態１に係るコントローラ１の動作について説明する。
図７は、実施の形態１に係るコントローラ１の動作を説明するためのフローチャートである。
設定指示受付部１１は、対象監視ポイントに関する情報の設定指示を受け付けるまで待機し（ステップＳＴ７０１の“ＮＯ”の場合）、対象監視ポイントに関する情報の変更を受け付けると（ステップＳＴ７０１の“ＹＥＳ”の場合）、受け付けた設定指示に関する情報を、推奨レベル判定部１２に出力する。具体的には、設定指示受付部１１は、対象監視ポイントに付与する警報レベルの設定指示を受け付けた場合、受け付けた設定指示に関する情報を、推奨レベル判定部１２に出力する。
【００３３】
推奨レベル判定部１２は、ステップＳＴ７０１にて設定指示受付部１１が受け付けた設定指示と、ポイント参照情報とに基づき、推奨警報レベルを判定する（ステップＳＴ７０２）。推奨レベル判定部１２は、推奨警報レベルの判定結果の情報を、表示制御部１３に出力する。
【００３４】
表示制御部１３は、ステップＳＴ７０３における推奨レベル判定部１２による推奨警報レベルの判定結果に基づき、推奨警報レベル情報を表示させるための表示制御情報を、表示装置２１に出力する（ステップＳＴ７０３）。
【００３５】
表示装置２１は、推奨警報レベル情報を表示し、ユーザは、表示装置２１が推奨警報レベル情報を表示した画面を確認して、入力した設定指示を実行させるか否かを判断する。
ユーザは、自身が設定しようとした警報レベルのとおり、警報レベルを設定して問題ないと判断すれば、先に入力した警報レベルの設定を実行する実行指示を入力する。
そして、コントローラ１では、実行指示受付部が実行指示を受け付け、警報レベル反映部が、ステップＳＴ７０１にて設定指示受付部１１が受け付けた設定指示に基づき、対象監視ポイントに警報レベルを付与して、警報レベル情報に反映する。
【００３６】
このとき、コントローラ１は、実行指示された警報レベルの値が、推奨警報レベルと異なる値である場合、ユーザに対して警告することもできる。例えば、上述の具体例のように、設定指示受付部１１が、監視ポイントＡＡに対して警報レベル「Ｌｖ．７」を設定する設定指示を受け付けた場合、推奨レベル判定部１２が判定する推奨警報レベルは「Ｌｖ．１０」である。それでも、ユーザが、監視ポイントＡＡに対して、警報レベル「Ｌｖ．７」とする設定の実行指示を行った場合、コントローラ１は、ユーザに対して警告することができる。
具体的には、例えば、コントローラ１において、実行指示受付部が、実行指示を受け付けると、警報レベル反映部は、設定指示受付部１１が先に受け付けた設定指示に基づき、警報レベルの設定を実行する際に、表示制御部１３に対して、警告通知指示を出力する。表示制御部１３は、警報レベル反映部から警告通知指示が出力されると、表示装置２１に対して、例えば、「推奨警報レベルとは異なる警報レベルが設定されました。」というメッセージを表示させる。これにより、コントローラ１は、ユーザに対して、推奨警報レベルとは異なる警報レベルが設定されたことを警告する。
【００３７】
一方、ユーザは、警報レベルの設定をキャンセルすると判断すれば、先に入力した警報レベルの設定をキャンセルする。
【００３８】
このように、実施の形態１に係るコントローラ１は、ユーザから、対象監視ポイントに警報レベルを付与する設定指示を受け付けた際に、対象監視ポイントが使用されている関連アプリケーションのアプリケーション重要度に基づいて、対象監視ポイントに対する推奨警報レベルを判定し、当該推奨警報レベルに関する推奨警報レベル情報を、表示装置２１に表示させるようにする。
ユーザは、表示装置２１が表示した画面を確認した上で、指示した、対象監視ポイントに警報レベルの設定を実行させるか否かを判断する。
【００３９】
従来、監視ポイント３に付与される警報レベルと、監視ポイント３に警報が発生した場合の、施設監視システムの監視または制御への影響との対応関係は考慮されていなかった。そして、ユーザは、監視ポイント３に警報が発生した場合の、施設監視システムの監視または制御への影響を把握することなく、当該監視ポイント３に警報レベルを設定していた。よって、例えば、施設監視システムの監視または制御に大きな影響を与える監視ポイント３で警報が発生した場合に、当該監視ポイント３に設定されている警報レベルが低いことにより、当該監視ポイント３で警報が発生している旨の通知が、ユーザに対してなされないおそれがあった。
【００４０】
これに対し、実施の形態１に係るコントローラ１は、上述のとおり、ユーザから、対象監視ポイントに警報レベルを設定する設定指示を受け付けた際に、推奨警報レベルを判定し、推奨警報レベル情報を、表示装置２１に表示させる。これにより、ユーザは、対象監視ポイントで警報が発生した場合に、施設監視システムに及ぼす影響を考慮した推奨警報レベルを把握し、本当に、自身が設定しようとしている警報レベルを、対象監視ポイントに設定してよいか否か、判断することができる。そのため、ユーザが、監視ポイント３にて警報が発生した場合に当該警報の発生が施設監視システムに及ぼす影響を把握しないまま、監視ポイント３に警報レベルを設定してしまい、監視ポイント３に対して、当該監視ポイント３にて警報が発生した場合に当該警報の発生が施設監視システムに及ぼす影響が考慮されていない警報レベルが付与された状態となることを防ぐことができる。その結果、例えば、警報が発生した場合に、施設監視ポイントに及ぼす影響が大きい監視ポイント３において警報が発生した場合、当該警報が発生した旨の通知が、ユーザに対してなされないというような事態に陥ることを防ぐことができる。
【００４１】
なお、以上の実施の形態１では、推奨レベル判定部１２は、設定指示受付部１１が受け付けた設定指示と、ポイント参照情報とに基づき、推奨警報レベルを判定すると、当該推奨警報レベルがどのようなレベルであっても、表示制御部１３は、当該判定結果に基づく推奨警報レベル情報を表示させるための表示制御情報を出力するようにした。
しかし、これは一例に過ぎない。推奨レベル判定部１２は、さらに、設定指示受付部１１が受け付けた設定指示に基づく警報レベルと、判定した推奨警報レベルとに差異があるか否かを判定するようにしてもよい。そして、表示制御部１３は、推奨レベル判定部１２が、設定指示に基づく警報レベルと、推奨警報レベルとに差異があると判定した場合に、推奨警報レベル情報を表示させるための表示制御情報を出力するようにしてもよい。
【００４２】
例えば、上述した具体例のように、設定指示受付部１１が、対象監視ポイントである監視ポイントＡＡに対して警報レベル「Ｌｖ．７」を設定する設定指示を受け付けたとする。この場合、推奨レベル判定部１２は、推奨警報レベルを「Ｌｖ．１０」と判定する。
さらに、推奨レベル判定部１２は、設定指示に基づく警報レベル「Ｌｖ．７」と、推奨警報レベル「ＬＶ．１０」とを比較する。
そうすると、警報レベル「Ｌｖ．７」と推奨警報レベル「Ｌｖ．１０」とでは、差異がある。この場合に、表示制御部１３は、推奨レベル情報を表示させるための表示制御情報を出力する。
なお、推奨レベル判定部１２が、設定指示に基づく警報レベルと推奨警報レベルとを比較し、差異がないと判定した場合には、表示制御部１３は、推奨警報レベル情報を表示させるための表示制御情報を出力せず、警報レベル反映部が、設定指示に基づき、対象監視ポイントに警報レベルを付与して、警報レベル情報に反映するようにする。
【００４３】
また、以上の実施の形態１では、推奨レベル判定部１２は、ポイント参照情報において、対象監視ポイントを使用している関連アプリケーションに付与されているアプリケーション重要度によって、推奨警報レベルを判定するようにした。言い換えれば、推奨レベル判定部１２は、対象監視ポイントを使用している関連アプリケーションの種類によって、推奨警報レベルを判定するようにした。しかし、これは一例に過ぎない。
例えば、推奨レベル判定部１２は、ポイント参照情報において、対象監視ポイントを使用している関連アプリケーションの数に応じて、対象監視ポイントを使用している関連アプリケーションの数が多いほど、推奨警報レベルを高く判定するようにしてもよい。
推奨レベル判定部１２は、監視ポイント３について、当該監視ポイント３が使用されている関連アプリケーションとの関係に応じて、当該監視ポイント３に警報が発生した場合に、施設監視システムの監視または制御に及ぼす影響が大きいと推定される監視ポイント３ほど、高い推奨警報レベルを判定するようになっていればよい。
【００４４】
以上のように、実施の形態１によれば、コントローラ１は、１つ以上の監視ポイントのうちの対象監視ポイントに関する情報の設定指示を受け付ける設定指示受付部１１と、設定指示受付部１１が受け付けた設定指示と、監視ポイントおよび当該監視ポイントに関する情報を使用する１つ以上の関連アプリケーションが対応付けられたポイント参照情報に基づき、対象監視ポイントに設定する警報レベルとして推奨される推奨警報レベルを判定する推奨レベル判定部１２と、推奨レベル判定部１２による推奨警報レベルの判定結果に基づき、推奨警報レベルに関する情報（推奨警報レベル情報）を表示させるための表示制御情報を出力する表示制御部１３とを備えるように構成した。
具体的には、実施の形態１において、設定指示受付部１１が受け付ける、対象監視ポイントに関する情報の設定指示とは、当該対象監視ポイントに付与される警報レベルの設定指示であり、推奨レベル判定部１２は、変更指示に基づく警報レベルと、ポイント参照情報とに基づき、推奨警報レベルを判定するようにした。そして、表示制御部１３は、推奨警報レベル情報を表示させるための表示制御情報を出力するように構成した。
そのため、ユーザが、監視ポイント３にて警報が発生した場合に当該警報の発生が施設監視システムに及ぼす影響を把握しないまま、監視ポイント３に警報レベルを付与してしまい、監視ポイント３に対して、当該監視ポイント３にて警報が発生した場合に当該警報の発生が施設監視システムに及ぼす影響が考慮されていない警報レベルが付与された状態となることを防ぐことができる。
【００４５】
実施の形態２．
実施の形態１では、設定指示受付部１１が受け付ける、対象監視ポイントに関する情報の設定指示とは、当該対象監視ポイントに付与される警報レベルの設定指示とし、警報レベルの設定指示を受け付けると、推奨レベル判定部１２が、推奨警報レベルを判定するようにしていた。
実施の形態２では、設定指示受付部１１が受け付ける、対象監視ポイントに関する情報の設定指示とは、対象監視ポイントに関するポイント参照情報の設定指示とし、推奨レベル判定部１２は、設定指示に基づいてポイント参照情報を設定した結果、対象監視ポイントに対して推奨される推奨警報レベルを判定する実施の形態について説明する。
【００４６】
実施の形態２に係る施設監視システムは、コントローラ１ａと、施設監視装置２と、監視ポイント３を備える。実施の形態２に係る施設監視システムの具体的な構成は、実施の形態１において図１を用いて説明した具体的な構成と同様であるため、重複した説明を省略する。
【００４７】
図８は、実施の形態２に係るコントローラ１ａの構成例を示す図である。
図８において、実施の形態１で図４を用いて説明したコントローラ１と同様の構成については、同じ符号を付して重複した説明を省略する。
実施の形態２に係るコントローラ１ａは、実施の形態１に係るコントローラ１と比べ、ポイント参照情報設定部１５を備えた点が異なる。また、実施の形態２に係るコントローラ１ａは、推奨レベル判定部１２ａの具体的な動作が異なる。
なお、上述のとおり、実施の形態２において、設定指示受付部１１が受け付ける、対象監視ポイントに関する情報の設定指示とは、対象監視ポイントに関するポイント参照情報の設定指示である。以下の実施の形態２では、一例として、ポイント参照情報は、図２で示したような内容であるものとする。また、警報レベル情報は、図６で示したような内容であるものとする。
【００４８】
ポイント参照情報設定部１５は、設定指示受付部１１が受け付けた、ポイント参照情報の設定指示を、ポイント参照情報に反映する。
例えば、設定指示受付部１１が、監視ポイントＢＢについて、関連アプリケーション「火災制御ＸＸＸ」で使用する監視ポイントから削除する設定を行ったとする。なお、この場合、監視ポイントＢＢが対象監視ポイントである。
具体的には、ユーザは、例えば、施設監視装置２から、入力装置を操作して、コントローラ１に対して、ポイント参照情報設定画面を呼び出し、表示装置２１にポイント参照情報設定画面を表示させる（図示は省略する）。そして、ユーザは、ポイント参照情報設定画面から、ポイント参照情報の設定指示を入力する。
ポイント参照情報設定画面には、少なくとも、対象監視ポイントを入力するための対象監視ポイント入力部と、対象監視ポイントに対応付けて設定する関連アプリケーションの情報を入力するための関連アプリケーション入力部が表示される。
ここでは、例えば、ユーザは、施設監視装置２から、入力装置を操作して、ポイント参照情報について、監視ポイントＢＢを使用する関連アプリケーションとして対応付けられている「火災制御ＸＸＸ」を削除する設定指示を入力するものとする。
施設監視装置２は、受け付けた設定指示をコントローラ１に送信し、コントローラ１の設定指示受付部１１は、当該設定指示を受け付ける。実施の形態２において、当該設定指示には、対象監視ポイントの情報、および、対象監視ポイントに対応付けて設定する関連アプリケーションの情報が含まれる。
ポイント参照情報設定部１５は、設定指示受付部１１が受け付けた設定指示を受け付け、監視ポイントＢＢを使用する関連アプリケーションとして対応付けられている「火災制御ＸＸＸ」を、ポイント参照情報から削除する。
その結果、図２で示したようなポイント参照情報の内容は、図９で示すような内容となる。
【００４９】
推奨レベル判定部１２ａは、ポイント参照情報設定部１５が設定指示を反映させた後のポイント参照情報（以下「反映後ポイント参照情報」という。図９参照）に基づき、対象監視ポイントに設定すべき推奨警報レベルを判定する。
上述の具体例を用いて具体的に説明すると、推奨レベル判定部１２ａは、まず、反映後ポイント参照情報を参照し、対象監視ポイントである監視ポイントＢＢが使用されている関連アプリケーションを判定する。ここでは、監視ポイントＢＢが使用されている関連アプリケーションは、「グラフィック１−２」のみである。そして、ポイント参照情報によると、「グラフィック」には、アプリケーション重要度「１０」が付与されている。
そこで、推奨レベル判定部１２ａは、推奨警報レベルを「Ｌｖ．１０」と判定する。なお、実施の形態２において、推奨レベル判定部１２ａは、反映後ポイント参照情報に基づいて判定した、対象監視ポイントが使用されている関連アプリケーションの種類が複数存在する場合、複数の関連アプリケーションのうち、最も重要度の高い、言い換えれば、最も値が小さい重要度を、推奨警報レベルと判定すればよい。推奨レベル判定部１２ａが、ポイント参照情報に基づいて推奨警報レベルを判定する具体的な方法は、実施の形態１において、推奨レベル判定部１２が、ポイント参照情報にも基づいて推奨警報レベルを判定する具体的な方法と同様である。
【００５０】
ポイント参照情報が設定されると、上述の例のように、対象監視ポイントと対応付けられている関連アプリケーションに変更が生じることがある。そうすると、対象監視ポイントについて、関連アプリケーションとの対応関係に基づいて推奨される、推奨警報レベルにも変更が生じることがある。
そこで、推奨レベル判定部１２ａは、対象監視ポイントに関するポイント参照情報が設定されると、反映後ポイント参照情報に基づいて、推奨警報レベルを判定する。
推奨レベル判定部１２ａは、推奨警報レベルの判定結果の情報を、表示制御部１３に出力する。
【００５１】
実施の形態２に係るコントローラ１ａの動作について説明する。
図１０は、実施の形態２に係るコントローラ１ａの動作を説明するためのフローチャートである。
設定指示受付部１１は、対象監視ポイントに関する情報の設定指示を受け付けるまで待機し（ステップＳＴ１００１の“ＮＯ”の場合）、対象監視ポイントに関する情報の変更を受け付けると（ステップＳＴ１００１の“ＹＥＳ”の場合）、受け付けた設定指示に関する情報を、推奨レベル判定部１２に出力する。具体的には、設定指示受付部１１は、対象監視ポイントに関するポイント参照情報の設定指示を受け付けた場合、受け付けた設定指示に関する情報を、ポイント参照情報設定部１５に出力する。
【００５２】
ポイント参照情報設定部１５は、ステップＳＴ１００１にて設定指示受付部１１が受け付けた、ポイント参照情報の設定指示を、ポイント参照情報に反映する（ステップＳＴ１００２）。
【００５３】
推奨レベル判定部１２ａは、ステップＳＴ１００２にてポイント参照情報設定部１５が設定指示を反映させた後の反映後ポイント参照情報に基づき、推奨警報レベルを判定する（ステップＳＴ１００３）。推奨レベル判定部１２は、推奨警報レベルの判定結果の情報を、表示制御部１３に出力する。
【００５４】
表示制御部１３は、ステップＳＴ１００３における推奨レベル判定部１２ａによる推奨警報レベルの判定結果に基づき、推奨警報レベル情報を表示させるための表示制御情報を、表示装置２１に出力する（ステップＳＴ１００４）。
【００５５】
ここで、図１１は、実施の形態２において、表示装置２１が、表示制御部１３から出力された表示制御情報に基づいて、推奨警報レベル情報を表示させた画面の一例を示す図である。なお、図１１は、具体例として上述した、設定指示受付部１１が、ポイント参照情報について、監視ポイントＢＢを使用する関連アプリケーションとして対応付けられている「火災制御ＸＸＸ」を削除する設定指示を受け付けた場合に、表示制御部１３が出力した表示制御情報に基づき、表示装置２１が、推奨警報レベル情報を表示した画面の一例としている。
【００５６】
図１１に示すように、表示装置２１は、ユーザに対して、推奨警報レベルに変更することを促すメッセージ（図１１の１１１１参照）と、推奨警報レベル（図１１の１１１２参照）を表示する。表示装置２１は、図１１に示すような画面を、例えば、ポイント参照情報設定画面にポップアップ表示する。
なお、図１１では、表示制御部１３は、表示装置２１に対して、推奨警報レベルに変更することを促すメッセージと、推奨警報レベルの両方を表示させたものとしているが、これは一例に過ぎない。表示制御部１３は、表示装置２１に対して、推奨警報レベルに変更することを促すメッセージ、または、推奨警報レベルのいずれか一方のみを表示させるようにしてもよい。また、表示制御部１３は、表示装置２１に対して、対象監視ポイントの情報を表示させるようにしてもよい。
【００５７】
ユーザは、表示装置２１が推奨警報レベル情報を表示した画面を確認して、対象監視ポイントに付与する警報レベルの設定指示を行うか否かを判断する。
上述の具体例で言うと、ユーザは、推奨警報レベル「Ｌｖ．１０」が表示された画面を確認して、監視ポイントＢＢについて、警報レベルの設定指示を行うか否かを判断する。
ユーザは、表示装置２１が表示した画面を確認することで、自身が、対象監視ポイントに関するポイント参照情報を設定したことで、当該対象監視ポイントに付与されている警報レベルの見直しが必要であることの気付きを得ることができる。
【００５８】
その結果、ユーザは、対象監視ポイントに付与されている警報レベルの見直しが必要でないと判断すれば、警報レベルの設定は行わず、処理を終了する。具体的には、ユーザは、施設監視装置２から、入力装置を操作して、表示装置２１が表示しているＯＫボタン１１１３をクリックする等して、処理を終了させる。施設監視装置２は、処理終了の指示をコントローラ１に送信する。コントローラ１では、実行指示受付部が処理終了の指示を受け付け、処理終了する。
【００５９】
一方、ユーザは、対象監視ポイントに付与されている警報レベルの見直しが必要であると判断すれば、対象監視ポイントについて、警報レベルの設定処理を行う。具体的には、ユーザは、施設監視装置２から、入力装置を操作して、表示装置２１が表示している、警報レベル設定ボタン１１１４をクリックする等して、警報レベル設定画面の呼出指示を入力する。施設監視装置２は、当該呼出指示をコントローラ１に送信する。
コントローラ１では、実行指示受付部が、当該呼出指示を受け付け、当該呼出指示を受け付けた旨の情報を、表示制御部１３に出力する。表示制御部１３は、警報レベル設定画面（図３参照）を表示装置２１に表示させる。
そして、ユーザは、対象監視ポイントに付与する警報レベルの設定を行う。警報レベルの設定の具体的な動作は、実施の形態１で説明したとおりであるため、重複した説明を省略する。
【００６０】
ユーザは、例えば、施設監視装置２から、入力装置を操作して、監視ポイント３に付与されている警報レベルを照会することができる。具体的には、ユーザは、入力装置を操作して、警報レベル照会指示を入力する。当該警報レベル照会指示には、監視ポイント３の情報が含まれる。コントローラ１の実行指示受付部は、警報レベル照会指示を受け付け、表示制御部１３が、記憶部１４に記憶されている警報レベル情報を参照して、警報レベル照会指示で指示された監視ポイント３に付与されている警報レベルの情報を取得し、表示装置２１に表示させる。
ここでは、例えば、ユーザは、対象監視ポイントである監視ポイントＢＢの警報レベル照会指示を入力すると、コントローラ１において、表示制御部１３は、監視ポイントＢＢに付与されている警報レベル「Ｌｖ．２」（図６参照）を表示させることになる。
ユーザは、表示された警報レベル「Ｌｖ．２」を確認する。そうすると、ポイント参照情報を設定したことによって表示された推奨警報レベル「Ｌｖ．１０」と、現在、監視ポイントＢＢに付与されている警報レベル「Ｌｖ．２」とでは差異があることを把握できる。ユーザは、例えば、このように、警報レベルの照会を行うことで、対象監視ポイントに付与されている警報レベルの見直しが必要であるか否かを判断するようにすればよい。
【００６１】
このように、実施の形態２に係るコントローラ１ａは、ユーザから、対象監視ポイントに関するポイント参照情報の設定指示を受け付けた際に、反映後ポイント参照情報に基づき、推奨警報レベルを判定し、当該推奨警報レベルに関する推奨警報レベル情報を、表示装置２１に表示させるようにする。
ユーザは、表示装置２１が表示した画面を確認した上で、ポイント参照情報を設定したことに伴い、対象監視ポイントに付与されている警報レベルの見直しが必要か否かを判断することができる。
そのため、ユーザが、監視ポイント３にて警報が発生した場合に当該警報の発生が施設監視システムに及ぼす影響を把握しないまま、ポイント参照情報を設定してしまい、監視ポイント３に対して、当該監視ポイント３にて警報が発生した場合に当該警報の発生が施設監視システムに及ぼす影響が考慮されていない警報レベルが付与された状態となることを防ぐことができる。
【００６２】
なお、以上の実施の形態２では、推奨レベル判定部１２ａは、反映後ポイント参照情報に基づき、推奨警報レベルを判定すると、当該推奨警報レベルがどのようなレベルであっても、表示制御部１３は、当該判定結果に基づく推奨警報レベル情報を表示させるための表示制御情報を出力するようにした。
しかし、これは一例に過ぎない。推奨レベル判定部１２ａは、さらに、現在、対象監視ポイントに付与されている警報レベルと、推奨警報レベルとに差異があるか否かを判定するようにしてもよい。なお、推奨レベル判定部１２ａは、現在、対象監視ポイントに付与されている警報レベルを、記憶部１４が記憶している警報レベル情報から判定すればよい。そして、表示制御部１３は、推奨レベル判定部１２ａが、現在、対象監視ポイントに付与されている警報レベルと、推奨警報レベルとに差異があると判定した場合に、推奨警報レベルに関する情報を表示させるための表示制御情報を出力するようにしてもよい。
【００６３】
また、以上の実施の形態２では、推奨レベル判定部１２ａは、反映後ポイント参照情報において、対象監視ポイントを使用している関連アプリケーションに付与されているアプリケーション重要度によって、推奨警報レベルを判定するようにした。言い換えれば、推奨レベル判定部１２ａは、対象監視ポイントを使用している関連アプリケーションの種類によって、推奨警報レベルを判定するようにした。しかし、これは一例に過ぎない。
例えば、推奨レベル判定部１２ａは、反映後ポイント参照情報において、対象監視ポイントを使用している関連アプリケーションの数に応じて、対象監視ポイントを使用している関連アプリケーションの数が多いほど、推奨警報レベルを高く判定するようにしてもよい。
推奨レベル判定部１２ａは、監視ポイント３について、当該監視ポイント３が使用されている関連アプリケーションとの関係に応じて、当該監視ポイント３に警報が発生した場合に、施設監視システムの監視または制御に及ぼす影響が大きいと推定される監視ポイント３ほど、高い推奨警報レベルを判定するようになっていればよい。
【００６４】
以上のように、実施の形態２によれば、コントローラ１ａは、１つ以上の監視ポイントのうちの対象監視ポイントに関する情報の設定指示を受け付ける設定指示受付部１１と、設定指示受付部１１が受け付けた設定指示と、監視ポイントおよび当該監視ポイントに関する情報を使用する１つ以上の関連アプリケーションが対応付けられたポイント参照情報に基づき、対象監視ポイントに設定する警報レベルとして推奨される推奨警報レベルを判定する推奨レベル判定部１２ａと、推奨レベル判定部１２ａによる推奨警報レベルの判定結果に基づき、推奨警報レベルに関する情報（推奨警報レベル情報）を表示させるための表示制御情報を出力する表示制御部１３とを備えるように構成した。より具体的には、対象監視ポイントに関する情報の設定指示とは、対象監視ポイントに関するポイント参照情報の設定指示であり、コントローラ１ａは、設定指示受付部１１が受け付けたポイント参照情報の設定指示をポイント参照情報に反映するポイント参照情報設定部１５を備え、推奨レベル判定部１２ａは、ポイント参照情報設定部１５が設定指示を反映させた後の反映後ポイント参照情報に基づき、推奨警報レベルを判定するように構成した。
そのため、ユーザが、監視ポイント３にて警報が発生した場合に当該警報の発生が施設監視システムに及ぼす影響を把握しないまま、ポイント参照情報を設定してしまい、監視ポイント３に対して、当該監視ポイント３にて警報が発生した場合に当該警報の発生が施設監視システムに及ぼす影響が考慮されていない警報レベルが付与された状態となることを防ぐことができる。
【００６５】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６６】
１，１ａ  コントローラ
２  施設監視装置
３  監視ポイント
１１  設定指示受付部
１２，１２ａ  推奨レベル判定部
１３  表示制御部
１４  記憶部
１５  ポイント参照情報設定部
２１  表示装置
【図１】
2020091620.tif 000003
【図２】
2020091620.tif 000004
【図３】
2020091620.tif 000005
【図４】
2020091620.tif 000006
【図５】
2020091620.tif 000007
【図６】
2020091620.tif 000008
【図７】
2020091620.tif 000009
【図８】
2020091620.tif 000010
【図９】
2020091620.tif 000011
【図１０】
2020091620.tif 000012
【図１１】
2020091620.tif 000013